(57)【要約】【課題】図案様式を底材上に転写印刷することにより、最良の粘着度を具える高粘着度及び高鮮明の転写印刷構造を提供する。      【解決手段】高粘着度及び高鮮明の転写印刷構造は、転写印刷構造を底材上に転写印刷する。この転写印刷構造は、鮮明な文字、図案を印刷した印刷層を含み、その印刷層の底面には、インクを塗布したインク層を形成し、インク層の底面には熱溶解糊層を塗布する。この熱溶解糊層によって、熱転写した時、熱溶解糊層が軟化して粘着状を形成し、底材と一体化するため、高粘着度及び鮮明な転写印刷構造を形成する。【選択図】図３
0003121381.tif 000002
【実用新案登録請求の範囲】
【請求項１】
高粘着度及び高鮮明の転写印刷構造において、
転写印刷構造を底材上に転写し、且つ前記転写印刷構造は、文字、図案が鮮明に印刷された印刷層を含み、前記印刷層底面にはインクを塗布したインク層を形成し、前記インク層底面に熱溶解糊層を塗布するもので、前記熱溶解糊層によって、転写した時、熱溶解糊が軟化して粘着状を形成し、底材と一体化させることを特徴とする高粘着度及び高鮮明の転写印刷構造。
【請求項２】
前記底材は、紡織品であることを特徴とする請求項１記載の高粘着度及び高鮮明の転写印刷構造。
【請求項３】
前記底材は、革であることを特徴とする請求項１記載の高粘着度及び高鮮明の転写印刷構造。
【請求項４】
前記底材は、可塑性物質とすることを特徴とする請求項１記載の高粘着度及び高鮮明の転写印刷構造。
【請求項５】
前記印刷層は、パソコンのインクジェット方式で印刷することを特徴とする請求項１記載の高粘着度及び高鮮明の転写印刷構造。
【請求項６】
前記印刷層は、シルク印刷方式で印刷してもよいことを特徴とする請求項１記載の高粘着度及び高鮮明の転写印刷構造。
【請求項７】
前記印刷層は、平板印刷方式で印刷してもよいことを特徴とする請求項１記載の高粘着度及び高鮮明の転写印刷構造。
【請求項８】
前記印刷層は、回転式印刷方式で印刷してもよいことを特徴とする請求項１記載の高粘着度及び高鮮明の転写印刷構造。
【請求項９】
前記印刷層に塗布する前記インクは、ＰＵ油性インクとすることを特徴とする請求項１記載の高粘着度及び高鮮明の転写印刷構造。
【請求項１０】
前記熱溶解糊層と前記インク層は、その構造比率が７：１であることを特徴とする請求項１記載の高粘着度及び高鮮明の転写印刷構造。
【考案の詳細な説明】
【技術分野】
【０００１】
本考案は、高粘着度及び高鮮明の転写印刷構造に関するもので、特に図案様式を底材上に転写印刷することにより、最良の粘着度を具えるものである。
【背景技術】
【０００２】
図１、２に示すのは、公知の革転写紙の構造分解図であり、その革転写紙１は、一層のインクによって作られた各種模様様式のインク層１３を有し、そのインク層１３の底面に適度な厚みの熱溶解糊層１４が設けられる。また、インク層１３の上方には剥離剤層１２が設けられ、その剥離剤層１２の上表面には糊層１１が設けられる。この糊層１１と剥離剤層１２が結合して一層の光沢漆のようにインク層１３を覆うカバー層を形成する。その形成されたカバー層が模様面を保護する。
【０００３】
公知の革転写紙においては、熱溶解糊層及びインク層の組成量の多少が印刷に影響を与えていた。熱溶解糊層の塗布量が多く、インク層の塗布量が少ない場合は、転写印刷した時、インクの白底が足りないため、図案の色がぼやけてしまう。反対に熱溶解糊層の塗布量が少なく、インク層の塗布量が多い場合は、転写印刷した時、熱溶解糊層が不足しているため、粘着度が悪くなる。
【考案の開示】
【考案が解決しようとする課題】
【０００４】
解決しようとする問題点は、下述の点である。
【０００５】
粘着度の不足：革転写紙を形成する熱溶解糊層は、僅かに薄い樹脂が塗られているだけであるため、転写時に有効に転写印刷する対象の部材（もしくは底材とも言う）に粘着せず、転写印刷の底材も織物質及び革製品に限られる。
【０００６】
転写印刷の構造が複雑：構造が剥離剤層及び糊面層を具えるため、転写紙全体の構造が厚くなってしまう。
【０００７】
印刷の厚みを調整するのが困難：図案をインク層に印刷するため、印刷時に採用するスクリーン印刷の厚みを調整することが出来ない。そのため、転写紙の厚みが不確定になる。
【課題を解決するための手段】
【０００８】
本考案は、転写印刷構造を底材上に転写印刷することができる。この転写印刷構造は、鮮明な文字、図案を印刷した印刷層を含み、その印刷層の底面には、インクを塗布したインク層を形成し、インク層の底面には熱溶解糊層を塗布する。この熱溶解糊層によって、熱転写した時、熱溶解糊層が軟化して粘着状を形成し、底材と一体化するため、高粘着度及び鮮明な転写印刷構造を形成することを最も主要な特徴とする。
【考案の効果】
【０００９】
本考案の高粘着度及び高鮮明の転写印刷構造は、下述の利点がある。
【００１０】
最良の粘着度を具え、転写印刷の効果を高める：熱溶解糊層とインク層の比率が７：１であるため、熱転写時、熱溶解糊層が柔らかくなって、粘着効果が増す。また、印刷層は白色インク層上に印刷するため、印刷層の文字、図案をより突出させて鮮明度を高める。
【００１１】
構造が簡単なため、底材にスピード転写する：熱圧の転写印刷方式は、文字、模様がすでに印刷層上にプリントしてあるため、底材に直接転写できるため、作業効率を高める。
【００１２】
構造全体が簡単である：本考案は、印刷層、インク層及び熱溶解糊層から構成される。そのため、構造全体が簡単で、薄膜を形成する。
【考案を実施するための最良の形態】
【００１３】
図３及び図４に示すのは、本考案の転写印刷構造断面指示図及び本考案の転写印刷構造と底材の貼り合わせ指示図である。本考案は主に転写印刷構造１を底材２上に転写印刷し、その底材２は、紡織品（例：帽子、服等）、革及び可塑性物質材等とし、且つ転写印刷構造１は、例えばパソコンのインクジェット、シルク印刷平版印刷及び回転式印刷等の印刷方式を含み、印刷は文字模様が表層の印刷層１０に鮮明に印刷される。この印刷層１０の底面にはインクを塗布したインク層１１が形成され、そのインク層１１に塗布するインクは、例えばＰＵ油性インクとし、且つインクの色は白色を最良とする。またこのインク層１１底面には熱溶解糊層１２を塗布する。この熱溶解糊層１２によって、熱転写印刷された時、熱溶解糊層１２が軟化して底材２に粘着して一体となる。更にこの熱溶解糊層１２とインク層１１の構造比率は７：１を最良の比率とする。
【００１４】
転写印刷構造１の熱溶解糊層１２によって、転写印刷構造１を底材２上に粘着させた時、転写印刷構造１は、最良の粘着度を具え、且つインク層に白色インクを塗布することによって、文字、図案を鮮明且つ美しく仕上げることができ、最良の遮蔽率の粘着度を具えることができる。また透明の樹脂に白色顔料を加えて、更に熱溶解糊を加えることにより、文字、図案の光沢がよりはっきりする。
【図面の簡単な説明】
【００１５】
【図１】公知の革転写印刷紙の断面構造拡大図である。
【図２】公知の革転写印刷紙の構造分解図である。
【図３】本考案の転写印刷構造断面指示図である。
【図４】本考案の転写印刷構造と底材を貼り合わせた指示図である。
【符号の説明】
【００１６】
（公知）
１        革転写印刷紙
１１        糊面層
１２        剥離剤層
１３        インク層
１４        熱溶解糊層
（本考案）
１        転写印刷構造
１０        印刷層
１１        インク層
１２        熱溶解糊層
２        底材
【図１】
0003121381.tif 000003
【図２】
0003121381.tif 000004
【図３】
0003121381.tif 000005
【図４】
0003121381.tif 000006